(57)【要約】【課題】前面パネルの閉鎖時には空気漏れがなく、開放時に前面パネルがスムーズに開放できる換気扇を提供することを目的とする。【解決手段】換気機能を設けた本体１と、本体１の前方を覆う形状で上方部を支点に本体１に開閉自在で着脱可能に設けられる前面パネル３とを備え、前面パネル３に背面上部の左右に回動軸４を設けたアーム８を一対設け、前面パネル３の回動軸４が係合する斜め上方に向いた前後に長い軸孔１３を本体１の前面側の左右に設けたことにより、前面パネル３が開放時に本体１に衝突することなくスムーズに開放することができる換気扇が得られる。【選択図】図１
2005300088.tif 000002
【特許請求の範囲】
【請求項１】
換気機能を設けた本体と、この本体の前方を覆う形状で、上方部を支点に前記本体に開閉自在で着脱可能に設けられる前面パネルとを備え、前記前面パネルの背面上部の左右に回動軸を設けたアームを一対設け、前記前面パネルの回動軸が係合する前後に長い軸孔を前記本体の前面側の左右に設けた換気扇。
【請求項２】
本体に設けられる軸孔を斜め上方に向いた略長円形状に形成した請求項１に記載の換気扇。
【請求項３】
前面パネルに設けられる回動軸を断面長円形状に形成し、前記回動軸の中心部に円柱状の凸部を設け、本体に設けられる軸孔の中心部に溝部を設けた請求項１または２に記載の換気扇。
【請求項４】
前面パネルに設けられるアームを別部品で形成した請求項１〜３のいずれかに記載の換気扇。
【請求項５】
前面パネルに設けられるアームを、前面パネルまたはアームにねじボス部を設けて固定する構成とした請求項４に記載の換気扇。
【請求項６】
本体に設けた軸孔の周辺部に前面パネルを一定の開角度で支持する支持部を設けた請求項１〜５のいずれかに記載の換気扇。
【請求項７】
前面パネルに設けられるアームの一側面に回動軸を設け、同じ側面または反対側の側面に本体と係合する係合部を設けた請求項１〜６のいずれかに記載の換気扇。
【発明の詳細な説明】
【技術分野】
【０００１】
本発明は、本体に前面パネルを開閉自在に設け、運転時は前面パネルを閉鎖し、点検時や掃除時に開放できる換気扇に関する。
【背景技術】
【０００２】
従来、この種の換気扇の一例として前面側パネルに設けた吸込グリルを開閉する空気調和機の室内ユニットが知られている（例えば、特許文献１参照）。
【０００３】
以下、その空気調和機の室内ユニットについて図１４および図１５を参照しながら説明する。
【０００４】
図に示すように、前面側パネル１０１にはめ込まれた吸込グリル１０２を回動自在に保持する保持具１０３を設け、吸込グリル１０２に側面部に軸１０４と掛かり部１０５を有する回動用アーム１０６を設け、保持具１０３に掛かり部１０５を保持する掛かり部保持部１０７と軸保持部１０８を設け、前面側パネル１０１の軸保持部１０７とで吸込グリル１０２に軸１０４を回動自在に支持し、所定の斜め位置に保持できる位置関係としたものである。
【特許文献１】特開２００１−８２７５８号公報（［００１９］〜［００２０］図３、図４）
【発明の開示】
【発明が解決しようとする課題】
【０００５】
このような従来の空気調和機の室内ユニットでは、前面側パネル１０１に回動自在に設けられる吸込グリル１０２を側面部に軸１０４と掛かり部１０５を有する回動用アームにより開閉していたが、開閉時に支点となる軸１０４は一定場所で回動するものであり、開閉時に吸込グリル１０２が前面側パネル１０１に当接しないように余裕を持った位置に軸１０４を設けているため、吸込グリル１０２の閉鎖時には前面パネル１０１との間に大きな隙間を設けなければならないという課題があり、隙間を設ける必要のないようにすることが要求されている。
【０００６】
本発明は、このような従来の課題を解決するもので、前面パネル閉鎖時には、本体側に密着し、空気漏れがなく、開放時に前面パネルが本体に衝突することなくスムーズに開閉できる換気扇を提供することを目的としている。
【課題を解決するための手段】
【０００７】
本発明の換気扇は、上記目的を達成するために、換気機能を設けた本体と、この本体の前方を覆う形状で上方部を支点に前記本体に開閉自在で着脱可能に設けられる前面パネルとを備え、前記前面パネルの背面上部の左右に回動軸を設けたアームを一対設け、前記前面パネルの回動軸が係合する前後に長い軸孔を前記本体の前面側の左右に設け構成したものである。
【０００８】
この手段により、前面パネルと本体の衝突をスムーズに回避することができる。
【０００９】
また、他の手段は、本体に設けられる軸孔を斜め上方に向いた略楕円形状に形成したものである。
【００１０】
この手段により、前面パネルの開閉性の向上を図ることができる。
【００１１】
また、他の手段は、前面パネルに設けられる回動軸を断面長円形状に形成し、前記回動軸の中心部に円柱状の凸部を設け、支持手段に設けられる軸孔の中心部に溝部を設けたものである。
【００１２】
この手段により、前面パネルの取外しを容易に行なうことができる。
【００１３】
また、他の手段は、前面パネルに設けられるアームを別部品で形成したものである。
【００１４】
この手段により、前面パネルとアームを別特性を有する材料で形成することができる。
【００１５】
また、他の手段は、前面パネルに設けられるアームを、前面パネルまたはアームにねじボス部を設け固定する構成としたものである。
【００１６】
この手段により、前面パネルとアームの固定の安定性が得られる。
【００１７】
また、他の手段は、本体に設けた軸孔の周辺部に、前面パネルを一定の開角度で支持する支持部を設けたものである。
【００１８】
この手段により、前面パネルを一定の開き角度で固定できる。
【００１９】
また、他の手段は、前面パネルに設けられるアームの一側面に回動軸を設け、同じ側面または反対側の側面に本体と係合する係合部を設けたものである。
【００２０】
この手段により、前面パネルと本体が係合する際の回動軸の外れを防止することができる。
【発明の効果】
【００２１】
本発明によれば、前面パネルの開閉時に本体に対する衝突をスムーズ回避できる効果のある換気扇を提供できる。
【００２２】
また、前面パネルの開閉性の向上を図ることができる。
【００２３】
また、前面パネルの取り外しを容易に行うことができる。
【００２４】
また、前面パネルとアームを別特性を有する材料で形成できる。
【００２５】
また、前面パネルとアームの固定の安定性が得られる。
【００２６】
また、前面パネルを一定の開き角度で固定できる。
【００２７】
また、前面パネルと本体が係合する際の回動軸の外れが防止できる。
【発明を実施するための最良の形態】
【００２８】
本発明の請求項１に記載の発明は、換気機能を設けた本体と、この本体の前方を覆う形状で、上方部を支点に前記本体に開閉自在で着脱可能に設けらる前面パネルとを備え、前記前面パネルの背面上部の左右に回動軸を設けたアームを一対設け、前記前面パネルの回動軸が係合する前後に長い軸孔を前記本体の前面側の左右に設け構成したものであり、前面パネルに設けた回動軸が本体に設けた前後に長い軸孔に係合していることにより、前面パネルの開放時に前面パネルに設けた回動軸が本体に設けた前後に長い軸孔の前方側に移動させながら前面パネルを開放させることで、本体より離れた位置で前面パネルが開放され、本体に対する衝突が自然にスムーズに回避できるという作用を有する。
【００２９】
また、請求項２に記載の発明は、本体に設けられる軸孔を斜め上方に向いた略楕円形状に形成したものであり、前面パネルに設けた回動軸が本体に設けた斜め上方に向いた略長円形状に形成した軸孔に沿いながら斜め上方に移動することにより、前面パネルも斜め上方に移動することとなり、前面パネルを上方に開放する力が回動軸に作用し、回動軸がスムーズに移動することとなり、前面パネルの開閉がスムーズとなり開閉性が向上するという作用を有する。
【００３０】
また、請求項３に記載の発明は、前面パネルに設けられる回動軸を断面長円形状に形成し、前記回動軸の中心部に円柱状の凸部を設け、本体に設けられる軸孔の中心部に溝部を設けたものであり、前面パネルのアームに設けた回動軸を断面長円形状に形成していることにより、本体の軸孔より回動軸を取り外せる位置は回動軸の長円形状が略水平位置となるように前面パネルを略水平状態に開放したときのみ、軸孔より回動軸を取り外しできることとなり、前面パネルに設けた回動軸の長円形状部が垂直状態、いわゆる前面パネルが閉鎖状態では前面パネルは取り外すことができなく、前面パネルの取り外しは、前面パネルが一定角度開放したときのみ行なうことができるという作用を有する。
【００３１】
また、請求項４に記載の発明は、前面パネルに設けられるアームを別部品で形成したものであり、前面パネルは開閉が容易となるように、軽量の材料で形成でき、アームは強度を必要とするため、強度のある材料で形成でき、また、前面パネルとアームの何れかをリサイクル可能な材料で形成することもでき、リサイクルにも貢献できるという作用を有する。
【００３２】
また、請求項５に記載の発明は、前面パネルに設けられるアームを前面パネルまたは、アームにねじボス部を設け固定する構成としたものであり、ねじボス部をアーム側に設けた場合には前面パネルの内面に取付片を設け、取付片を介してねじボス部に取付ねじを螺合して取り付け、ねじボス部を前面パネルの内面に設けた場合にはアームを取付ねじを介してねじボス部に螺合して取り付けができることにより、前面パネルの表面に取付ねじを露出することなく、取付ねじを介してアームを強固に取り付けることができ、取付固定による安定性が得られるという作用を有する。
【００３３】
また、請求項６に記載の発明は、本体に設けた軸孔の周辺部に前面パネルを一定の開角度で支持する支持部を設けたものであり、前面パネルを開放するように回動すると、前面パネルが一定角度回動したときに、本体側に設けた支持部にアームが係合し、支持され、前面パネルが一定角度開放した状態で支持部を介して支持されることとなり、前面パネルを一定の角度に開放することができる。
【００３４】
また、請求項７に記載の発明は、前面パネルに設けられるアームの一側面に回動軸を設け、同じ側面に本体の軸孔の周辺部に設けた前記支持部に係合する係合部を設けたものであり、前面パネルが一定角度回動したときに、前記支持部にアームへ設けた前記係合部が係合するので、安定して前面パネルを一定の角度に開放することができる。また、前記アームに設けられた回動軸と反対側の側面に、本体の軸孔の周辺部に設けた前記支持部に係合する係合部を設けることにより、前面パネルが一定角度回動したときに、前記支持部にアームへ設けた前記係合部が係合する際の前記アームの変形は、前記回動軸が軸孔に近づく方向へ変形することにより、前記回動軸が前記軸孔から外れることがなく、より安定して前面パネルを一定の角度に開放することができる。
【００３５】
以下、本発明の実施の形態について図面を参照しながら説明する。
【００３６】
（実施の形態１）
図１〜図１３に示すように、内部に送風機（図示せず）等の換気機能を設けた本体１と、この本体１の前方を覆う形状で、本体１との間に通気口２が形成されるように、上方部を支点に開閉自在で着脱可能に設けられる前面パネル３とを設け、前面パネル３の背面上部の左右に、断面長円形状に形成された回動軸４と、回動軸４の中心部に円柱状の凸部５を先端側に設けた略釣針状に形成し、根本側に取付ねじ６の螺合するねじボス部７を設けて形成したアーム８を前面パネル３に設けた取付片９を介して取付ねじ６をねじボス部７に螺合して前面パネル３を釣針状部が上方に向くように一対取り付ける。
【００３７】
また、本体１には、アーム８が挿入可能な空間部１１を形成し、空間部１１の側壁１２には前面パネル３に取り付けられたアーム８に設けた回動軸４の係合する斜め上方の前方に向いた略長円形状の軸孔１３と、この軸孔１３の中心部に軸孔１３に沿う長円形状の溝部１４を２段に形成し、側壁１２の軸孔１３内にアーム８に設けた長円形状の回動軸４が横長状態となる前面パネル３が略水平位置で回動軸４の偏平部が挿入され、前面パネル３が着脱できる着脱用溝１５を設ける。
【００３８】
また、本体１の空間部１１の側壁１２の軸孔の周辺部の一部には、前面パネル３が支持できる支持部１６を設け、前面パネル３に設けられるアーム８の一側面に本体１の空間部１１の側壁１２に当接する係合部１７を設け、前面パネル３が略水平状態に開放されたときには、本体１に設けた支持部１６に前面パネル３に設けた係合部１７が弾性係合し、ロック状態となり、前面パネル３は水平状態で保持されるように構成する。
【００３９】
上記構成において、前面パネル３を閉鎖した状態で換気扇を運転するときには、図１に示すように、前面パネル３に設けたアーム８の回動軸４と凸部５は、本体１に設けた軸孔１３と溝部１４の最下方部に位置した状態となっており、本体１と前面パネル３間に形成された通気口２から室内の空気が換気機能を設けた本体１内に流入し、室外に排出して換気が行なわれる。
【００４０】
そして本体１に設けた送風機や熱交換器の点検、掃除または交換をするときには、前面パネル３を開放するために、前面パネル３を回動軸４を支点に回動するとともに、前面パネル３を上方へ持ち上げることにより、回動軸４は斜め上方で前方に向いた長円形状の軸孔１３内で回動し、凸部５は溝部１４内で回動しながら回動軸４は軸孔１３に、凸部５は溝部１４に沿い斜め上方に移動し、本体１の前面端部に対し、前面パネル３の端部が遠ざかるように移動しながら前面パネル３は開放し、前面パネル３に設けたアーム８の回動軸４を設けた面と反対側の面に設けた係合部１７が、本体１に設けた空間部１１の側壁１２に設けられた支持部１６に係合し、アーム８は回動軸４が軸孔１３に近づく方向へ変形し、係合部１７が支持部１６を乗り越えるとアーム８の変形が元に戻り、回動軸４が軸孔１３から外れることなく、前面パネル３は一定の開角度で支持され、本体１内の点検や、掃除、部品交換をすることができる。
【００４１】
また、前面パネル３を取り外したいときには、前面パネル３が略水平状態で、本体１に設けた支持部１６に前面パネル３のアーム８に設けた係合部１７が弾性係合してロックされている状態で前面パネル３を前方に引くことにより、ロック状態が外れ、アーム８に設けた回動軸４の偏平部が水平状態となっていることにより、着脱用溝１５より回動軸４と凸部５が引き出されて前面パネル３が取り外されることとなる。
【００４２】
そして、前面パネル３を取り付けるときには、取り外したときとは逆の状態となるように、前面パネル３を略水平状態にして、アーム８に設けた回動軸４と凸部５を本体１の空間部１１の側壁１２に形成した着脱用溝１５を介して軸孔１３と溝部１４に係合し、支持部１６と係合部１７のロック状態を解除するように前面パネル３を回動軸４を支点に閉鎖方向に移動することにより前面パネル３が本体１の前方を覆うように取り付けられ、換気扇として運転することができることとなる。
【００４３】
なお、実施の形態１では、前面パネル３に取り付けられるアーム８側にねじボス部７を設けたことを説明したが、ねじボス部７を前面パネル３側に設けてアーム８を取り付けても良く、また、アーム８に設けられる係合部１７は、回動軸４を設けたアーム８の側面または反対側の側面に設けても良く、その作用効果に差異を生じないものである。
【産業上の利用可能性】
【００４４】
前面パネルを開閉する開閉機構を用いて空気調和機の室内ユニットの前面に設けられるグリルの開閉機構にも適用することができる。
【図面の簡単な説明】
【００４５】
【図１】本発明の実施の形態１の換気扇の前面パネルの取付状態を示す断面図
【図２】同換気扇の斜視図
【図３】同換気扇の前面パネルを開放した状態の概略斜視図
【図４】同換気扇の本体の概略斜視図
【図５】同換気扇の前面パネルの背面斜視図
【図６】同換気扇の前面パネルの着脱時の状態を示す断面図
【図７】同換気扇の前面パネルが一定角度開放時の状態を示す断面図
【図８】同換気扇の前面パネルの開放時のロック状態を示す断面図
【図９】同換気扇の前面パネルの開放途中の回動軸の状態を示す断面図
【図１０】同換気扇の前面パネルを手で開放したときの状態を示す断面図
【図１１】同換気扇の前面パネルが開放し保持されるときの状態を示す断面図
【図１２】同換気扇の前面パネルに取り付けられるアームの斜視図
【図１３】同換気扇の前面パネルにアームを取り付けた状態を示す断面図
【図１４】従来の空気調和機の室内ユニットの吸込グリルの取り付けた状態を示す要部側面図
【図１５】同吸込グリルの着脱時の状態を示す要部投影図
【符号の説明】
【００４６】
１        本体
３        前面パネル
４        回動軸
５        凸部
７        ねじボス部
８        アーム
１３      軸孔
１４      溝部
１６      支持部
１７      係合部
【図１】
2005300088.tif 000003
【図２】
2005300088.tif 000004
【図３】
2005300088.tif 000005
【図４】
2005300088.tif 000006
【図５】
2005300088.tif 000007
【図６】
2005300088.tif 000008
【図７】
2005300088.tif 000009
【図８】
2005300088.tif 000010
【図９】
2005300088.tif 000011
【図１０】
2005300088.tif 000012
【図１１】
2005300088.tif 000013
【図１２】
2005300088.tif 000014
【図１３】
2005300088.tif 000015
【図１４】
2005300088.tif 000016
【図１５】
2005300088.tif 000017